(57)【要約】【課題】ペットカートの大きさや犬の大きさに係らず、種々のペットカートに対して少なくとも底面の汚染を防止するペットカート防汚シートを提案することを目的とする。【解決手段】本考案にかかるペットカート防汚シートは、全体形状が矩形のペットカート防汚シートであって、ペットカートの居室の底面に敷設した場合に該底面の大きさに対応して、余った辺縁部をペットカートの内壁に沿って上方に立設した状態で、維持可能とするように、各辺に少なくとも２か所ずつ係止部を備える。【選択図】図１
0003223383.tif 000002
【実用新案登録請求の範囲】
【請求項１】
全体形状が矩形のペットカート防汚シートであって、
ペットカートの居室の底面に敷設した場合に該底面の大きさに対応して、余った辺縁部を前記ペットカートの内壁に沿って上方に立設した状態で、維持可能とするように、各辺に少なくとも２か所ずつ係止部を備える
ことを特徴とするペットカート防汚シート。
【請求項２】
請求項１に記載のペットカート防汚シートにおいて、
異なる二辺に各々位置して互いに隣接する前方側の前記係止部同士を連結する前方連結紐と、
異なる二辺に各々位置して互いに隣接する後方側の前記係止部同士を連結する後方連結紐と、をさらに備える
ことを特徴とするペットカート防汚シート。
【請求項３】
請求項２に記載のペットカート防汚シートにおいて、
前記前方連結紐は、前記ペットカートの側方からペット居室の外面に沿って外側面から外底面に延伸され、連結された左右の一対の前方係止部間を連結する
ことを特徴とするペットカート防汚シート。
【請求項４】
請求項２または請求項３に記載のペットカート防汚シートにおいて、
前記後方連結紐は、前記ペットカートのフレームに脱着可能に係止される
ことを特徴とするペットカート防汚シート。
【請求項５】
請求項２乃至請求項４のいずれか一項に記載のペットカート防汚シートにおいて、
前記前方連結紐または／及び前記後方連結紐は、長さ調整可能に構成される
ことを特徴とするペットカート防汚シート。
【請求項６】
請求項２乃至請求項５のいずれか一項に記載のペットカート防汚シートにおいて、
前記前方連結紐または／及び前記後方連結紐は、面ファスナーまたはフックまたはスナップボタンの少なくともいずれか一つを備える
ことを特徴とするペットカート防汚シート。
【考案の詳細な説明】
【技術分野】
【０００１】
本考案は、ペットカート防汚シートに関する。
【背景技術】
【０００２】
従来、犬等のペットを連れての散歩や移動の際に、ペット用カートが利用されている。犬を散歩させる目的の場合にはペット用カートは不要であるが、大勢の人込みの中を移動する場合や百貨店やショッピングモール等であって、犬等のペットの露出があまり好まれない公共の場所では、犬等が苦手な人もいることからカートが利用されることが多い。また、例えば老犬や要介護犬等の自力歩行が困難なケースにおいても、ペット用カートは極めて有用である。
【０００３】
例えば、下記特許文献１には、「犬や猫などのペットを乗せて搬送するための、ペット用キャリー付きカートに関する」発明が記載されている。この文献の記載によれば、ペット用カートを用いれば、ユーザーはペットの重さの負担を強いられることなく、すなわち、ペットの重さに拘泥されることなくペットと共に楽に移動することができることが記載されている。
【０００４】
また、下記特許文献２には、周りの人に対する配慮の必要性等から、ペットの存在を可及的に不知ならしめることが可能であると共に、ペットが感じる不安感も可及的に抑制可能なペットカート用カバーが開示されている。このカバーは、ペット用カートの上部にジャバラのような折り畳み収納可能な布蓋を設けることで、必要に応じた場面において、外部からペットの姿が見えないようにするものである。
【先行技術文献】
【特許文献】
【０００５】
【特許文献１】特開２０１５−１０７７００号公報
【特許文献２】実用新案登録第３１８８４３８号公報
【考案の概要】
【考案が解決しようとする課題】
【０００６】
しかし、少しお散歩した後にカートに戻ってきてペットを搭載する場合等においては、犬等のペットが相当程度汚れている状態でカートに搭載されることから、カート内の汚染が激しくなる。特に、梅雨時期など雨天後のお散歩後や外出後は、犬等の足や足裏・体表はドロドロに汚泥が付着していることも珍しくない。カートに乗せる場合にはもちろん軽く泥を拭うこともできるが、外出状態であるし急いでいる場合もあるので、家庭内や美容院でシャンプーするようにその場できれいにすることは困難である。
【０００７】
結局のところカート内が汚れてしまう。また、要介護犬や老犬の場合いは糞尿やよだれ等がカート内を汚染する原因になる場合もある。一方、市販の紙製の吸水ペットシート等は、犬等がすぐに掻き破ってしまうので、カート内では利用できない。また、犬等のペットを車載する場合に利用される車内用ペットシートは市販されているが、利用態様が異なることから、ペットカート用としては利用しづらい。
【０００８】
本考案は、上述の問題点を解消するために為されたものであり、ペットカートの大きさや犬の大きさに係らず、種々のペットカートに対して少なくとも底面の汚染を防止するペットカート防汚シートを提案することを目的とする。
【課題を解決するための手段】
【０００９】
本考案にかかるペットカート防汚シートは、全体形状が矩形のペットカート防汚シートであって、ペットカートの居室の底面に敷設した場合に該底面の大きさに対応して、余った辺縁部をペットカートの内壁に沿って上方に立設した状態で、維持可能とするように、各辺に少なくとも２か所ずつ係止部を備えることを特徴とする。
【００１０】
また、本考案にかかるペットカート防汚シートは、好ましくは異なる二辺に各々位置して互いに隣接する前方側の係止部同士を連結する前方連結紐と、異なる二辺に各々位置して互いに隣接する後方側の係止部同士を連結する後方連結紐と、をさらに備えることを特徴とする。
【００１１】
また、本考案にかかるペットカート防汚シートは、さらに好ましくは前方連結紐が、ペットカートの側方からペット居室の外面に沿って外側面から外底面に延伸され、連結された左右の一対の前方係止部間を連結することを特徴とする。
【考案の効果】
【００１２】
本考案により、ペットカートの大きさや犬の大きさに係らず、種々のペットカートに対して少なくとも底面の汚染を防止するペットカート防汚シートを実現できる。
【図面の簡単な説明】
【００１３】
【図１】（ａ）は、公知のペットカートに本考案にかかるペットカート防汚シートを装着した状態で説明する図であり、（ｂ）はペットカートに装着している状態のペットカート防汚シートのみを説明の便宜上取り出して示している斜視図である。
【図２】本考案のペットカート防汚シートのバリエーションを説明する概念図であり、（ａ）が図１で説明するタイプのペットカート防汚シートを平面シート状の自然状態に展開した様子を説明する図であり、（ｂ）が図１（ａ）の係止部の他の例として係止紐を備える構成を説明する図である。
【考案を実施するための形態】
【００１４】
本実施形態で示す考案は、ペットカートの居室内部に敷設する容易に脱着可能なペットカート防汚シートである。ペットカートは種々の大きさで種々のタイプが市販されているが、ペットの居室は大凡矩形空間とされている。これは、移動可能なように四隅に張り出した車輪の上に、ペット居室を搭載する関係上、矩形の居室空間とすることが最も自然であるからと考えられる。
【００１５】
三輪車輪タイプの高速バギー等も散見されるが、居室の底面は平面であり、底面隅から上方に側壁が形成されて、必要に応じて頭部を覆う日除け雨除け等が設けられる点等では、いずれのタイプでも略共通している。ペットを連れての移動やペットの露出回避や一時避難室としてペットカートは様々なシーンで汎用されているが、ペットは元来アウトドアが大好きで外遊びを好むことから、足やボディに砂や埃、泥汚れ等が付着している場面も少なからず見受けられる。
【００１６】
このような汚れは、外出先で予期せずに発生付着してしまう場合もあり、ペットカートに搭載したペットの汚れがカートの居室内壁を著しく汚してしまう好ましからざる事態が生じることがある。この点、ペットを車載する場合に利用される車載用ペットシート（ペットシーツ）は広く知られて用いられているものの、ペットカート用のペットシートは残念ながら従来提案されていない。しかし、ペットカートの内部汚染は無視できない程度に深刻であって、紙製のいわゆる尿吸収ペットシーツ等では対応できるものではない。そこで、本考案にかかるペットカート防汚シートについて図面に基づいて以下に説明する。
【００１７】
図１（ａ）は、公知のペットカート２０００に本考案にかかるペットカート防汚シート１０００を装着した状態で説明する図であり、図１（ｂ）はペットカート２０００に装着している状態のペットカート防汚シート１０００のみを説明の便宜上取り出して示している斜視図である。
【００１８】
図１（ａ）においては、ペットカート防汚シート１０００は、ペットカート２０００のペット居室内部の内底面から内側面にかけて敷設されているので、外部からは殆ど視認できないものとなっている。但し、ペットカート防汚シート１０００が備える前方連結紐１２００は、ペットカート２０００のペット居室の前方部分で外側面から外底面にわたって周回されて、これによりペットカート防汚シート１０００の立設された前方最上部を上方に張力を付与した状態で保持して維持している。
【００１９】
また、図１（ａ）に示すように、ペットカート防汚シート１０００が備える後方連結紐１３００，１４００は、それぞれペットカート２０００の左右のフレームにフック若しくは周回等によって脱着可能に固定されている。これにより、ペットカート防汚シート１０００の立設された後方最上部を、好ましくは、上後方に張力を付与した状態で保持して維持している。このような作用機序によって、ペットカート２０００に装着されたペットカート防汚シート１０００は、自然状態の形状が略平面のシート状であるにも拘わらず、ペットカート２０００の居室内で立体的な器を形成して、多少のペットの接触等にも拘わらずその形状が安定的に維持されるものとなっている。
【００２０】
また、図１（ｂ）に示すように、ペットカート防汚シート１０００は、ペットカート２０００のペット居室内部でその内底面から内側面に沿う面の一部または全部を覆うように辺縁部が立設された状態で維持される。この状態のペットカート防汚シート１０００の底面積は、装着されているペットカート２０００の内底面積に略等しいものとして、互いにほぼぴったりフィットしていることが好ましい。また、ペットカート防汚シート１０００の底面積は、装着されるペットカート２０００の内底面積に応じて、上方に立設する位置を適宜に変更調整することで適宜変更されるものとできる。
【００２１】
図１（ｂ）において、ペットカート防汚シート１０００の係止部１１１０と係止部１１８０と並びに係止部１１２０と係止部１１３０とが、前方連結紐１２００によって係止固定されている。これにより、平面シート状であったペットカート防汚シート１０００の前方部分が、ペットカート２０００の内底面から前方内側壁に沿って器のように形成されるものとなる。
【００２２】
同様に、図１（ｂ）において、ペットカート防汚シート１０００の係止部１１４０と係止部１１５０と並びに係止部１１６０と係止部１１７０とが、それぞれ後方連結紐１３００，１４００によって各々係止固定されている。これにより、平面シート状であったペットカート防汚シート１０００の後方部分が、ペットカート２０００の内底面から後方内側壁に沿って器のように形成されるものとなる。上述のようにしてペットカート防汚シート１０００は、ペットカート２０００のペット居室内壁を汚れから守ることが可能となる。ペットカート防汚シート１０００の立設する高さはカートの大きさに応じて種々に替えられるので、最低限内底面の全面を保護するものとし、好ましくは内側面を可能な限り高い位置まで保護できるように、その大きさを設計するものとしてもよい。
【００２３】
また、図２は、本考案のペットカート防汚シート１０００のバリエーションを説明する概念図であり、図２（ａ）が図１で説明するタイプのペットカート防汚シート１０００を平面シート状の自然状態に展開した様子を説明する図であり、図２（ｂ）が図１（ａ）の係止部１１１０の他の例として係止紐１１１０（ｂ）を備える構成を説明する図である。
【００２４】
図２（ｂ）に示す例においては、ペットカート２０００に装着する場合には、係止紐１１１０（ｂ）と係止紐１１８０（ｂ）とを連結係合し、係止紐１１２０（ｂ）と係止紐１１３０（ｂ）とを連結係合し、係止紐１１４０（ｂ）と係止紐１１５０（ｂ）とを連結係合し、係止紐１１６０（ｂ）と係止紐１１７０（ｂ）とを連結係合すれば、辺縁部が立設された器形状が形成可能である。
【００２５】
この場合においては、例えば係止紐１１８０（ｂ）及び／または係止紐１１３０（ｂ）をペットカート２０００のペット居室前方部を周回固定して連結可能な程度の長さにしておくことで、前方連結紐としても機能させることが可能である。同様に、係止紐１１４０（ｂ）と係止紐１１５０（ｂ）のいずれか一方または両方、及び係止紐１１６０（ｂ）と係止紐１１７０（ｂ）のいずれか一方または両方、を長く構成することで、後方連結紐としても機能させることが可能である。
【００２６】
図２には明記していないが、上述した係止部や係止紐及前方連結紐並びに後方連結紐は、種々のロープや紐、バンド等のフレキシブル長尺結束手段を、任意の箇所で任意の長さで係止可能な各種公知の係止手段を備えるものとできる。また、ペットカート防汚シート１０００のシートそれ自体の任意箇所に各種公知の係止乃至一時固定手段を設けて、任意脱着可能な器形状保持の補助手段として構成しても良い。本考案においては、不使用時にはシート状でコンパクトに折り畳み収納して、必要時にのみ取り出し展開して立体的に構成させ得るペットカート防汚シート１０００を実現できる。
【００２７】
本考案のペットカート防汚シートは、全体形状が矩形のペットカート防汚シートであって、ペットカートの居室の底面に敷設した場合に該底面の大きさに対応して、余った辺縁部をペットカートの内壁に沿って上方に立設した状態で、維持可能とするように、各辺に少なくとも２か所ずつ係止部を備えることを特徴とする。
【００２８】
これにより、種類や大きさ等の応じた種々のペットカートにおいて、底面の大きさや側壁の高さや深さが異なる場合においても、柔軟に対応可能なペットカート防汚シートを実現できる。外遊びをしてドロドロに汚れた手足となった犬等であっても、躊躇することなく安心してペットカートに搭載することが可能である。
【００２９】
ペットカート防汚シートが汚れた場合でも取り出してそれのみを洗濯・洗浄することが可能であり、天日干しも可能なので清潔である。ペットカート防汚シートは、防水性能を有することで汚れの付着や固着を低減でき、また洗浄時の汚れ落ちも容易となるから好ましい。ペットカートの底面に敷設して余った辺縁部をペットカートの内側壁に沿って上方に立設するので、立設した部位の内側壁も汚れを防止できる。
【００３０】
また、カートの内壁に沿って立設したシート辺縁部をそのまま放置すれば、内方に撓んで犬等の居室空間に張り出してしまう懸念があるが、本考案においては、シート辺縁部が立設した状態で、各辺に設けられた係止部によって係止されてその状態を安定的に保持し維持することが可能である。例えば、係止部に面ファスナーやフック、ホックボタンやスナップボタン等を設けて、カートの内壁に脱着可能に係止することを排除するものではない。また、任意の係止部同士を種々の公知の手段を用いて係合することで、これによりシート辺縁部の立設を安定的に保持し維持することも可能である。
【００３１】
また、本考案のペットカート防汚シートは、好ましくは異なる二辺に各々位置して互いに隣接する前方側の係止部同士を連結する前方連結紐と、異なる二辺に各々位置して互いに隣接する後方側の係止部同士を連結する後方連結紐と、をさらに備えることを特徴とする。
【００３２】
この態様においては、前方側の係止部同士を前方連結紐で連結することにより、シート辺縁部の立設を安定的に保持し維持することを企図するものである。係止部は、前方連結紐とは別体として、前方連結紐が挿通できるような輪っか状に形成してもよいし、係止部それ自体から前方連結紐が一体化・固定化されて延伸されるような態様としてもよい。
【００３３】
前方連結紐や後方連結紐は、任意の長さに調整可能としてその長さの任意位置で固定できるような、例えば面ファスナー様に形成してもよい。また、このような長さ調整機構は、ハンドバックの肩紐や開口部分や巾着袋、ベルトやサスペンダー等の公知の紐やロープ／ベルト等フレキシブル長尺物の調整機構を適宜採用するものとできる。
【００３４】
カートの底面の大きさに依存して上方に立設される辺縁部の長さが異なることから、異なる二辺に各々位置して互いに隣接する前方側の係止部同士は、密着して重ねられる場合もあるし、一定程度離間している場合もある。いずれの場合においても、その状態において紐で係合することにより、安定した保持状態が維持されることが可能である。また、一般には、ペット用カートは幅方向よりも前後方向の長さが長いことに鑑みて、前方連結紐と後方連結紐とをそれぞれ別個のものとして備える構成とし、その利便性やユーティリティを向上させている。
【００３５】
また、本考案のペットカート防汚シートは、好ましくは前方連結紐が、ペットカートの側方からペット居室の外面に沿って外側面から外底面に延伸され、連結された左右の一対の前方係止部間を連結することを特徴とする。
【００３６】
これにより、ペット居室の内部に敷設されたペットカート防汚シートが安定してカートに装着固定されることが可能となる。また、余剰な前方連結紐はペット居室内部に置かれるのではなく、ペット居室を取り囲むように外側面から外底面にかけてループ状に一周することで、ペットカート防汚シートを係止部で係止することから、ペットの動作等の邪魔になることもない。さらに、前方係止部が前方連結紐によって上方に引っ張られることから、立設されたシート辺縁部がその状態で安定してカートのペット居室の側壁に沿って上方に凸状体を維持されるものとなるので好ましい。
【００３７】
また、本考案のペットカート防汚シートは、好ましくは後方連結紐が、ペットカートのフレームに脱着可能に係止されることを特徴とする。これにより、これにより、後方係止部が斜め上後方に適宜引っ張られた状態で、後方連結紐がフレームに固定されるものとできる。後方連結紐の張架程度を適宜に調整すれば、後方係止部が斜め上後方に安定的に支持されて、立設されたシート辺縁部がその状態で安定してカートのペット居室の側壁に沿って上方に凸状体を維持されるものとなるので好ましい。
【００３８】
また、本考案のペットカート防汚シートは、好ましくは前方連結紐または／及び後方連結紐は、長さ調整可能に構成されることを特徴とする。また、本考案のペットカート防汚シートは、好ましくは前方連結紐または／及び後方連結紐は、面ファスナーまたはフックまたはスナップボタンの少なくともいずれか一つを備えることを特徴とする。
【００３９】
公知のひもやロープの長さ調整機構を採用して任意の長さにし、その長さの箇所で係止固定可能なように構成することが好ましい。例えば、前方連結紐または／及び後方連結紐は、全体をテープ状の面ファスナーで形成してもよい。長さ調整が可能となることで、カートの後方フレームへの固定フィットやペット居室前方での周回固定等が、紐の弛みや緩みを無くした状態で行えることから、ペットカート防汚シートのカートへの装着固定がより安定化されるものとなる。
【００４０】
本考案に係るペットカート防汚シート１０００は、上述の説明及び図面に示す形状・構造・態様等に限定されるものではなく、本考案の射程の範囲内において、当業者の知り得る適宜公知または周知の手法等を用いて変形しアレンジし、モディファイしてもよいものである。
【符号の説明】
【００４１】
１０００・・ペットカート防汚シート、１１１０・・係止部、１２００・・前方連結紐、１３００・・後方連結紐、１４００・・後方連結紐、２０００・・ペットカート。
【図１】
0003223383.tif 000003
【図２】
0003223383.tif 000004